(57)【特許請求の範囲】
【請求項１】
光を発する発光部と、
警報音を発する発音部と、
所定範囲内の動体を検知する動体センサと、
設置箇所周囲の明るさを検知する照度センサと、
前記発光部および前記発音部を制御する制御部と、を有する照明装置であって、
前記制御部は、
前記動体への威嚇を伴わないモードによる動作中において、所定時間以上にわたって前記動体を検出しない状態が継続する場合には、前記威嚇をともなう防犯モードに移行させ、これによって、夜間においては、予め設定されているお出迎え時間経過後の期間において、前記動体センサによる前記動体の継続的検知がどれだけ続くかを判定し、この判定に基づいて、前記動体に対する威嚇を行うか否か、威嚇を行う場合には前記発光部のみによる威嚇を行うか、あるいは前記発光部および前記発音部の双方による威嚇を行うかを決定して、前記発光部および前記発音部の少なくとも一方を用いて威嚇する照明装置。
【請求項２】
前記防犯モードは、解除手段による解除があるまで維持される請求項１記載の照明装置。
【発明の詳細な説明】
【技術分野】
【０００１】
本発明は、動体センサおよび照度センサからの検知信号に基づいて、通常の照明および防犯威嚇用の照明として機能する照明装置に関するものである。
【背景技術】
【０００２】
従来より、動体センサおよび照度センサからの検知信号に基づいて、種々のモードで機能する照明装置が知られている（例えば特許文献１参照）。
特許文献１に記載の照明装置においては、照度センサの検出照度が所定の照度以下の場合において、物体センサが物体を検知しないときには、タイマー設定時間中では、照明の明るさを第１のレベルよりも低い第２のレベルで点灯させ、タイマー設定時間経過後では消灯するように制御している。これにより電力の消費を抑えて機能している。
【特許文献１】特開平１０−１５４５８９号公報
【発明の開示】
【発明が解決しようとする課題】
【０００３】
ところで、前述した特許文献１に記載されているような種々の機能を有する照明装置においては、必要に応じて使用するモードを選択する。その際、リモコンスイッチを用いるのが一般的である。従って、使用者が意図的に防犯モードに切り替えない限り防犯モードに移行しないため、家を留守にする際に使用者が防犯モードへの切り替えを忘れた場合には、防犯機能が作用しないこととなるという問題があった。
【０００４】
本発明は、従来の問題を解決するためになされたもので、防犯モードへの切り替えを忘れた場合でも、確実に防犯機能が作用する照明装置を提供することを目的とする。
【課題を解決するための手段】
【０００５】
本発明の照明装置は、光を発する発光部と、警報音を発する発音部と、所定範囲内の動体を検知する動体センサと、設置箇所周囲の明るさを検知する照度センサと、前記発光部および前記発音部を制御する制御部と、を有する照明装置であって、前記制御部は、前記動体への威嚇を伴わないモードによる動作中において、所定時間以上にわたって前記動体を検出しない状態が継続する場合には、前記威嚇をともなう防犯モードに移行させ、これによって、夜間においては、予め設定されているお出迎え時間経過後の期間において、前記動体センサによる前記動体の継続的検知がどれだけ続くかを判定し、この判定に基づいて、前記動体に対する威嚇を行うか否か、威嚇を行う場合には前記発光部のみによる威嚇を行うか、あるいは前記発光部および前記発音部の双方による威嚇を行うかを決定して、前記発光部および前記発音部の少なくとも一方を用いて威嚇する構成を有している。
【０００６】
この構成により、動体センサが、一定時間以上動体を検出しない場合には、動体を威嚇する防犯モードに移行するので、防犯モードへの切り替えを忘れた場合でも、確実に防犯機能を働かせることができる。
【０００７】
また、本発明の照明装置は、前記防犯モードは、解除手段による解除があるまで維持される構成を有している。
【０００８】
この構成により、解除手段によって解除されるまでは、防犯モードが機能することとなる。
【発明の効果】
【０００９】
本発明は、動体センサが、一定時間以上動体を検出しない場合には、動体を威嚇する防犯モードに移行するので、防犯モードへの切り替えを忘れた場合でも、確実に防犯機能を働かせることができるという効果を有する照明装置を提供することができるものである。
【発明を実施するための最良の形態】
【００１０】
以下、本発明の実施の形態の照明装置について、図面を用いて説明する。
図１は本発明の実施の形態にかかる照明装置の分解斜視図、図２は検知部による検知範囲を示す説明図、図３は照明装置の制御部ロック図、図４は調整つまみの正面図、図５はリモコンの正面図、図６はお出かけ防犯モードのタイムチャート、図７は周囲の明るさに対応して警報音の音量を調整する例を示す表，図８は動体センサが動体を検知する時間が長くなるに伴って警報の音量を大きくする例を示すグラフ、図９は通常防犯モードのタイムチャート、図１０は電源スイッチの連続操作を示す説明図、図１１は電源スイッチの連続操作の機能を示すフローチャート、図１２は電源オフ後の復帰を示すフローチャート、図１３は電源投入時のモード変更を示すタイムチャートである。
【００１１】
図１に示すように、本発明にかかる照明装置１０は、例えば壁１１にネジ等により固定される照明器具本体２０と、照明器具本体２０の前面を覆う透光性の樹脂やガラスからなるカバー２１を有している。照明器具本体２０内部には、ソケット２２が取り付けられており、発光部であるランプ２３が交換可能に取付けられており、ソケット２２は、制御部２４を介して商用交流電源１２に接続されている。また、照明器具本体２０下部には、発音部であるブザー２７が設けられており、制御部２４に接続されている。
【００１２】
また、照明器具本体２０の下端面には、設定された検知範囲内を移動する動体を温度変化により検知する動体センサ２６ａおよび周囲の明るさを検知する照度センサ２６ｂを備えた検知部２６が取付けられており、カバー２１下面の切欠き２１ａから照明器具本体２０外部に露出して検出できるようになっている。検知部２６は、図２に示すように、検知範囲を前後方向および左右方向へ変えることができる。また、検知部２６の近傍にはリモコン受光部２８が設けられており、カバー２１の切欠き２１ａから照明器具本体２０外部に露出して、リモコンからの信号光を受光できるようになっている。
【００１３】
図３に示すように、制御部２４は外部（例えば、奥内のコンセント等）の商用交流電源１２に接続されており、奥内の壁等に設けられている電源スイッチ１３を介して電力が供給されている。制御部２４には、動体センサ２６ａおよび照度センサ２６ｂが接続されており、それぞれ検知信号を制御部２４に送っている。制御部２４では、各センサ２６ａ、２６ｂからの信号に基づいて、後述する各モードに従って、ランプ２３を点灯させ、ブザー２７により警報音を発する。
【００１４】
図４に示すように、調整つまみ２５には、点灯保持時間調整つまみ２５ａ、明るさセンサ調整つまみ２５ｂ、お出迎え時間調整つまみ２５ｃ等が設けられており、後述する各モードにおける点灯保持時間等を調整可能としている。なお、図４は一例であり、必要に応じて種々のスイッチ類を増減することができる。
【００１５】
また、図５に示すように、リモコン４０には、お出かけ防犯モードスイッチ４１、通常防犯モードスイッチ４２、連続点灯スイッチ４３、音量調整スイッチ４４等が設けられている。従って、信号発光部４５を照明器具本体２０のリモコン受光部２８に向けて各スイッチ４１〜４４を押すことにより、信号を制御部２４に送ることができる。なお、図５は一例であり、必要に応じて種々のスイッチ類を増減することができる。
【００１６】
次に、照明装置１０の各モードについて説明する。
＜連続点灯モード＞
動体センサ２６ａおよび照度センサ２６ｂの検知にかかわらず、１００％の明るさで点灯し続ける。前述したリモコン４０の連続点灯スイッチ４３を押すことにより、設定することができる。
【００１７】
＜通常モード（お出迎えモード）＞
照度センサ２６ｂから送られた検知信号に基づいて、制御部２４が検知範囲内は一定以上の照度（明るさ）であると判断した場合には、制御部２４はランプ２３の点灯およびブザー２７の発音を命じない。
【００１８】
一方、制御部２４が、照度センサ２６ｂからの検知信号に基づいて、周囲が暗くなったと判断した後は、同際センサ２６ａが動体を検知しないときには、ランプ２３は消灯もしくは微点灯（例えば２０％の明るさで点灯）させる。動体センサ２６ａが検知範囲内に動体を検知した場合には、ランプ２３をお出迎え明るさ（例えば１００％）で点灯させ、ブザー２７は発音しない。そして、動体センサ２６ａが動体を検知しなくなると、所定の点灯保持時間だけ点灯した後、消灯もしくは微点灯する。
【００１９】
なお、点灯保持時間は、予め、照明器具本体２０に設けられている調整つまみ２５ａ（図４参照）によって、例えば５秒から３分まで設定することができる。また、お出迎え明るさは、明るさセンサ調整つまみ２５ｂにより調整することができる。さらに、お出迎えモードを機能させる時間はお出迎え時間調整つまみ２５ｃによって、ゼロ（切）から朝まで調整することができる。
【００２０】
このように、動体（人）が近づいた場合にお出迎えの意味から、威嚇することなくランプ２３を点灯させるので、お出迎えモードともいえる。
なお、昼から夜に移行する際に、照度センサ２６ｂからの検知信号により最初に暗くなったことを検知した場合に、制御部２４は、内蔵されているタイマによりランプ２３を一定時間点灯させ、消灯した後は、動体センサ２６ａが動体を検知した場合に点灯するようにしてもよい。
【００２１】
＜防犯モード＞
（１）お出かけ防犯モード
図６に示すように、お出かけ防犯モードにおいては、照度センサ２６ｂが明るいと検知する昼間および暗いと検知する夜間とも防犯モードが機能する。
【００２２】
Ａ、昼間
図６（Ａ）に示すように、照度センサ２６ｂが明るいことを検知した場合において、動体センサ２６ａが動体を一定時間（図６（Ａ）においては１０秒間）以上検知し続けた場合には、制御部２４は、ランプ２３を一定時間（図６においては１０秒間）点灯もしくは点滅させるとともにブザー２７を用いて警報音を一定時間発する。なお、図６においては、動体センサ２６ａが例えば人を検知してから１０秒経過後に、点灯および警報を発しているが、これは、一定時間以内の短時間検知された場合には、単に動物や自動車が横切った場合が考えられるため、一定時間（ここでは１０秒間）検知範囲にとどまって人と判断された場合にランプ２３の点灯、ブザー２７による警報を発することとした。
【００２３】
Ｂ．夜
図６（Ｂ）に示すように、照度センサ２６ｂが暗いことを検知した場合において、動体センサ２６ａが動体を検知しない場合には、制御部２４は、ランプ２３は２０％の明るさで点灯し、その後、お出迎え時間内において動体を検知した場合には、客等である確率が高いため、１００％の明るさでランプ２３を点灯する。この場合には、ブザー２７による威嚇はない。また、お出迎え時間経過後に動体センサ２６ａが動体を継続して一定時間以上検知した場合には、制御部２４は、ランプ２３を一定時間点灯もしくは点滅させ、動体センサ２６ａが一定時間（図６においては２０秒間）以上継続して動体を検知した場合には、ランプ２３を一定時間点灯もしくは点滅させるとともにブザー２７により警報音を一定時間発する。
【００２４】
なお、図６（Ｂ）においては、動体センサ２６ａが動体を検知してから１０秒後にランプ２３を点灯（点滅）させ、さらに１０秒後も動体が検知されている場合には犯罪につながる確率が高いとして警報を発するようにした。すなわち、ランプ２３の点灯（点滅）があってから１０秒後に警報を発するようにしたのは、ピッキング等に夜住居侵入に要する時間より短く、誤検知を防止できる時間として１０秒を採用した。
【００２５】
このように構成により、照度センサ２６ｂが明るいことを検知した場合において、動体センサ２６ａが動体を一定時間検知し続けた場合には、動体が人である確率が高いと判断して、ランプ２３を一定時間点灯もしくは点滅させるとともにブザー２７により警報音を一定時間発するので、明るい昼間等においても、不審な人に対して、確実に威嚇を行うことができる。また、照度センサ２６ｂが暗いことを検知した場合において、動体センサ２６ａが動体を一定時間検知し続けた場合には、動体が人であると判断して、ランプ２３を一定時間点灯もしくは点滅させ、動体センサ２６ａが一定時間以上継続して動体を検知した場合には犯罪につながる確率が高いと判断して、ランプ２３を一定時間点灯もしくは点滅させるとともにブザー２７を制御して警報音を一定時間発するので、犯罪目的でないと思われる動体に対しては、過剰な威嚇を防止するとともに、犯罪目的の人に対して、確実に威嚇を行うことができる。
【００２６】
なお、図７に示すように、制御部２４は、照度センサ２６ｂからの信号に対応してブザー２７の音量を調整するのが望ましい。
これにより、例えば、周囲の騒音が大きな昼は音量を大きくし、静かな夜は警報音の音量を小さくして、近所迷惑にならないように制御することができる。
【００２７】
また、図８に示すように、制御部は、動体センサ２６ａが動体を検知する時間が長くなるに伴って、ブザー２７が発する音量を大きくするのが望ましい。例えば、図８に示す場合では、最初は設定値の１／３の大きさで警報を発し、１０秒後には警報の音量は設定値まで大きくなる。
これにより、動体が検知される時間が長くなると、犯罪につながる確率が高いと判断して、警報音を大きくし、威嚇効果を大きくするとともに、不審者の存在を周囲に確実に知らせることができる。
【００２８】
（２）通常防犯モード（夜のみ防犯モード）
図９に示すように、通常防犯モードでは、照度センサ２８ｂが明るいと検知する昼間は、動体の検知にかかわらず、ランプ２３の点灯等やブザー２７による警報も行わない。そして、照度センサ２８ｂが暗いと検知した後は、前述した＜防犯モード＞の（１）お出かけ防犯モードにおけるＢ．夜と同様に作用する。
【００２９】
この「通常防犯モード」は、防犯機能をＯＦＦとすることにより強制的にＯＦＦにすることができる。例えば、その日の帰りが深夜になるとわかっている場合には、深夜帰宅した際に、「通常防犯モード」で、照明および警報により威嚇されると近所迷惑になるため、予め「通常防犯モード」を強制的にＯＦＦにする場合がある。このような場合には、「通常防犯モード通常防犯モード」の強制的ＯＦＦを解除しなければ、次の日の夜も「通常防犯モード」が解除されたままで、防犯機能を適正に果たすことができない。このため、「通常防犯モード」が強制的にＯＦＦに設定されている場合において、照度センサ２６ｂが明るいと判断した場合には「通常防犯モード」を自動的にＯＮに切り替えるようにした。
【００３０】
これにより、次の朝、照度センサ２６ｂが周囲が明るいことを検知したら、自動的に「通常防犯モード」の強制的ＯＦＦを解除してＯＮとするので、「通常防犯モード」をＯＦＦからＯＮに切り替える手間を省くことができるとともに、確実に「通常防犯モード」をＯＮとして、防犯機能を適正に果たすことができる。
【００３１】
なお、「お出かけ防犯モード」がＯＮの状態と、「通常防犯モード」がＯＮの状態とを切り替えるボタンスイッチを有し、このボタンスイッチを長押しすることにより「通常防犯モード」を強制的にＯＦＦとできるのが望ましい。例えば、図５に示すリモコン４０の通常防犯モードスイッチ４２を押すことにより通常防犯モードがＯＮとなるが、この通常防犯モードスイッチ４２を一定時間以上長押しすることにより、通常防犯モードをＯＦＦとする。
【００３２】
これにより、「お出かけ防犯モード」がＯＮの状態と、「通常防犯モード」がＯＮの状態とを切り替える通常防犯モードスイッチ４２を、長押しすることにより「通常防犯モード」をＯＦＦすることができるので、リモコンにが「通常防犯モード」をＯＦＦにする機能を追加しなくても、「通常防犯モード」をＯＦＦにすることができる。また、リモコンが近くになくても、「通常防犯モード」をＯＦＦにすることができる。
【００３３】
＜テストモード＞
テストモードは、照明装置１０の機能を規定するモードではないが、照明装置１０の設置時に物体センサ２６ａの範囲や点灯保持時間等のテストを行う必要がある。また、物体センサ２６ａの検知範囲を再調整する場合（図２参照）にも、設定後にテストを行う必要がある。この際、効率よくテストを行うためのモードである。
【００３４】
このテストモードにおいては、ランプ２３によるテスト点灯時間を、使用時における最小点灯保持時間（例えば、５秒）未満（例えば、３秒）に設定する。また、同時に、ランプ２３の明るさを「明るめ」、お出迎え時間を「切」に設定する。テストモードへの移行は、図４で前述した調整つまみ２５の明るさセンサ調整つまみ２５ｂをテスト位置まで回すことにより、容易に移行することができる。
【００３５】
これにより、設置時や設置後の調整時に物体センサ２６ａの範囲や点灯保持時間等のテストを行う際に、スイッチ２５ｂ一つの操作でテストモードにすることができるので、容易にテストを行うことができる。また、この際、点灯時間を通常の点灯保持時間よりも短く設定できるので、短時間で次のテストを行うことができ、効率よくテストを行うことができる。
【００３６】
なお、テストモードにおいては、ランプ２３による点灯と同時に、ブザー２７による警報を発するのが望ましい。
これにより、テスト時に点灯とともに音を発するので、明るいところでも物体センサ２６ａの範囲の確認ができ、また、ブザー２７のテストも行うことができる。
【００３７】
次に、前述した各モードの切り替えについて説明する。
【００３８】
Ａ．リモコンを用いる場合
図５において前述したように、リモコン４０には、各モードに移行するスイッチ４１、４２が設けられており、このスイッチ４１、４２を押すことにより、所望のモードへ移行することができる。
Ｂ．電源スイッチを用いる場合
図１０に示すように、一般に、奥内の壁等に設置されている電源スイッチ１３を用いて、ＯＦＦ・ＯＮ連続切り替えすることにより、現在設定されているモードと異なるモードに切り替え設定することができる。
【００３９】
このように、電源スイッチ１３をＯＦＦ・ＯＮ連続切り替えすることにより、現在設定されているモードと異なるモードに切り替え設定することができるので、リモコン４０を無くした場合や、電池切れ等の場合に，リモコン４０を用いることなく容易にモード切り替えを行うことができる。また、電源スイッチを通常の使用とは異なるＯＦＦ・ＯＮ連続切り替えの場合にのみモードを切り替えるので、使用者が意図しないモード切り替えを防止することができる。
【００４０】
なお、電源スイッチ１３を、通常の使用状態でＯＦＦに切り替えた場合には、次に電源スイッチ１３をＯＮとした際に、ＯＦＦに切り替える前のモードが維持されるようにするのが望ましい。
これにより、誤って電源スイッチをＯＦＦにした場合や、停電があった場合でも、容易に前の状態に復帰することができる。
【００４１】
図１１に具体例を示す。設置後の電源投入（ステップＳＳ）があると、安定化待機状態（ステップＳ１）となる。焦電素子等の動体センサは、電源投入時におけるセンサ出力が不安定となるため、電源投入時に安定化待機状態が設けられている。安定化待機状態ではランプ２３を点灯させておく。この安定化待機状態の間に電源スイッチ１３の連続操作がない場合には（ステップＳ２）、デフォルトである防犯モードに移って実行する（ステップＳ３）。このときのフラッグをＦ＝２として記憶する（ステップＳ４）。その後、電源スイッチ１３をＯＦＦにする際に、通常操作（ステップＳ５）を行った場合にはＦ＝２を維持した状態で電源ＯＦＦとなる（ステップＳ６）。一方、ステップＳ５において連続操作を行った場合には、フラッグをＦ＝１とし（ステップＳ７）、通常モードに移行して実行する（ステップＳ８）。なお、ステップＳ５において電源スイッチ１３の操作がない場合には、防犯モードが実行され続ける。
【００４２】
また、図１３（Ａ）に示すように、安定化待機状態中にステップＳ２において電源スイッチ１３の連続操作を行った場合には、デフォルトの防犯モードから通常モードに移行し（ステップＳ９）、フラッグをＦ＝１と記憶して（ステップＳ１０）、通常モードを実行する。そして、電源スイッチ１３を操作し（ステップＳ１１）、通常の操作で電源スイッチ１３をＯＦＦとした場合には、Ｆ＝１を維持して終了する（ステップＳ１２）。一方、ステップＳ１１において電源スイッチ１３を連続操作した場合には、フラッグをＦ＝２として（ステップＳ１３）、防犯モードに移行して実行する（ステップＳ１４）。なお、ステップＳ１１において電源スイッチ１３の操作がない場合には、通常モードが実行され続ける。
【００４３】
次に、図１１においてステップＳ６，Ｓ１２により電源ＯＦＦとした場合、およびステップＳ８、Ｓ１４において各モードを実行中に停電等により電源ＯＦＦとなった場合において、次に電源スイッチ１３をＯＮとした場合について説明する。
【００４４】
図１２に示すように、電源スイッチ１３をＯＮとしたら（ステップＳ１５）、安定化待機状態（ステップＳ１６）の経過後、フラッグを判断し（ステップＳ１７）、フラッグがＦ＝１の場合には通常モードを実行する（ステップＳ１８）。その後、電源スイッチ１３を操作し（ステップＳ１９）、通常操作の場合にはＯＦＦとなる（ステップＳ２０）。一方、ステップＳ１９において連続操作した場合には、フラッグをＦ＝２に変えて（ステップＳ２１）、防犯モードを実行する（ステップＳ２２）。
【００４５】
一方、ステップＳ１７においてＦ＝１でないと判断された場合には、防犯モードを実行する（ステップＳ２３）。その後、電源スイッチ１３を操作し（ステップＳ２４）、通常操作の場合にはＯＦＦとなる（ステップＳ２５）。一方、ステップＳ２４において連続操作した場合には、フラッグをＦ＝１に変えて（ステップＳ２６）、通常モードを実行する（ステップＳ２７）。
【００４６】
Ｃ．何もしない場合
種々のモードを有する照明装置１０においては、必要に応じて使用するモードを選択する。その際、リモコンスイッチ４０を用いるのが一般的であるが、使用者が意図的に防犯モードに切り替えない限り防犯モードに移行しないため、家を留守にする際に使用者が防犯モードへの切り替えを忘れた場合には、防犯機能が作用しないこととなる。このため、動体センサ２６ａが、一定時間（例えば、２４時間）以上動体を検出しない場合には、動体を威嚇する防犯モードに移行することとした。
【００４７】
これにより、防犯モードへの切り替えを忘れた場合でも、確実に防犯機能を働かせることができる。なお、７時から１７時までに人を検知しなければ自動的に「お出かけ防犯モード」に移行し、翌日の７時（１４時間経過後）になると自動的に「通常防犯モード」に移行するように設定すると、昼間に人を検知しなければ、夜間は「お出かけ防犯モード」に移行するようにできる。
【００４８】
また、解除手段による解除があるまで防犯モードを維持することが望ましい。解除手段としては、リモコン４０のスイッチ４１、４２を用いることができる。あるいは、電源スイッチ１３の連続操作で解除することもできる。
【００４９】
なお、本発明の照明装置は、前述した各実施形態に限定されるものでなく、適宜な変形，改良等が可能である。
【産業上の利用可能性】
【００５０】
以上のように、本発明にかかる照明装置は動体センサが、一定時間以上動体を検出しない場合には、動体を威嚇する防犯モードに移行するので、防犯モードへの切り替えを忘れた場合でも、確実に防犯機能を働かせることができるという効果を有し、動体センサおよび照度センサからの検知信号に基づいて、通常の照明および防犯威嚇用の照明として機能する照明装置等として有用である。
【図面の簡単な説明】
【００５１】
【図１】本発明の実施の形態にかかる照明装置の分解斜視図
【図２】検知部による検知範囲を示す説明図
【図３】照明装置の制御部ロック図
【図４】調整つまみの正面図
【図５】リモコンの正面図
【図６】お出かけ防犯モードのタイムチャート
【図７】周囲の明るさに対応して警報音の音量を調整する例を示す表
【図８】動体センサが動体を検知する時間が長くなるに伴って警報の音量を大きくする例を示すグラフ
【図９】通常防犯モードのタイムチャート
【図１０】電源スイッチの連続操作を示す説明図
【図１１】電源スイッチの連続操作の機能を示すフローチャート
【図１２】電源オフ後の復帰を示すフローチャート
【図１３】電源投入時のモード変更を示すタイムチャート
【符号の説明】
【００５２】
１０  照明装置
１３  電源スイッチ（解除手段）
２３  ランプ（発光部）
２４  制御部
２６ａ  動体センサ
２６ｂ  照度センサ
２７  ブザー（発音部）
４０  リモコン（解除手段）
【図１】
0005158937.tif 000002
【図２】
0005158937.tif 000003
【図３】
0005158937.tif 000004
【図４】
0005158937.tif 000005
【図５】
0005158937.tif 000006
【図６】
0005158937.tif 000007
【図７】
0005158937.tif 000008
【図８】
0005158937.tif 000009
【図９】
0005158937.tif 000010
【図１０】
0005158937.tif 000011
【図１１】
0005158937.tif 000012
【図１２】
0005158937.tif 000013
【図１３】
0005158937.tif 000014